(57)【要約】電気溶融炉１の両端部に、複数のレール１３を設け、これらのレールの上に２組の電極支持台１１に任意数の電極２、２Ａを固定し、この電極２、２Ａに２組から成るアクチュエーター１２の可動軸１２Ａを取り付け、電極２、２Ａに電極接続用導体３、３Ａを設け、電極接続用導体端子板３Ｂに、必要数の金属導電体支持台６、６Ａの内部に電気的絶縁体６Ｄを設けた上面に置いた金属導電体５、５Ａを接続用可とう導体４、４Ａで接続、金属導電体５、５Ａに電源部１０の電源ケーブル７、７Ａを接続し金属導電体支持台６、６Ａの底面の一端に自由回転式車輪６Ｂと、上部より直径の小さい円柱６Ｃを他の一端に取り付け、平板８の上面一端部に円筒部８Ｂを２組取り付け、これらの２組の円筒部８Ｂに円柱部６Ｃを組み込み、この平板８を固定台９上に固定した事である。【特許請求の範囲】
【請求項１】
電気溶融炉において、炉上部に複数のレールを固定し、固定されたレール間に２組の電極支持台を設け、この２組の電極支持台に任意数の電極を固定し、これらの任意数の電極に任意数の電極接続用導体を設け、これらの電極接続用導体に必要数の接続用可とう導体を接続し、これらの接続用可とう導体に必要数の金属導電体を接続、これらの金属導電体に電源部より任意数の電源ケーブルを接続、任意数の電極を設けた電極支持台を左右に水平に移動させると共に金属導電体をのせた金属導電体支持台が左右に水平移動が出来るための、金属導電体支持台の底外面に一端部に自由回転車輪を設け、他の一端部に円柱を設け、これらの金属導電体支持台が左右に水平移動するための基点となる円筒を水平板の一端部に必要数個設けた平板と、この平板を固定する固定台を設けてなる電気溶融炉用電極移動に伴なう金属導電体の移動方法。
【発明の詳細な説明】
【技術分野】  この発明は、電気溶融炉に使用している各電極に供給する大電力用の金属導電体の移動方式に関する。
【背景技術】  従来の電気炉の各電極に大電力を供給する方式として、電気炉内に３本の電極を固定し、この３本の電極に多くの平板状の金属板を直並列に接続して曲線状として、電源と各電極間に宙吊り状にして、各電極と電源間を接続した事により、電極を上下及び横方向の水平移動も出来ない固定方式である。
【発明の開示】
各電極に電力を供給するために、電極と電源間にフレキシブルな金属可とう導体と金属材からなる任意形状の金属導電体を電気的絶縁体を設けた金属導電体支持台上に置き、この金属導電体の一端子を電極に設けてある電極接続用導体に接続し、他の端子を電源部に接続してあるケーブルに接続し、この金属導電体支持台を平板の上に置き、対向している２基の複数電極を水平に移動させるための２台のアクチュエーターを作動させて、２基の複数電極を左右に移動した時に、金属導電体支持台をのせた平板上を、金属導電体支持台の下部の一端に取り付けてある自由回転式車輪と他端に設けた円柱部と平板上に設けた円筒部とを組み合わせて支部とし、この支部を基点として、２基の複数の電極を左右に水平移動させると共に、金属導電体支持台が左右扇状に水平に移動する様にした事である。
【図面の簡単な説明】  第１図は、本発明の金属導電体支持台の側面図である。
第２図は、本発明の金属導電体支持台の斜視図である。
第３図は、本発明の金属導電体支持台の底面図である。
第４図は、本発明の平板の斜視図である。
第５図は、本発明の構成を示す平面図である。
第６図は、本発明の構成を示す平面図である。
第７図は、本発明の構成を示す側面図である。
発明の実施するための最良の形態
発明の実施について、図１、図２、図３、図４、図５、図６及び図７を参照にして説明する。
図１、図２及び図３は金属導電体５、５Ａをのせる金属導電体支持台６、６Ａを示し、任意長と任意巾を有する。この金属導電体支持台６、６Ａの内部の両側面と底面上に電気的絶縁体６Ｄを固着させ、図３に示す様に、底面の下部の一端に３６０°方向に自由に回転する回転式車輪６Ｂを設け、他の一端に上部より下部の直径が小さい任意寸法の円柱６Ｃを設けた。金属導電体支持台６、６Ａの内部の電気的絶縁体６Ｄの上部に、任意形状の金属導電体５、５Ａを置き、この金属導電体支持台６、６Ａを、電気溶融炉１と電源部１０との間に設けた固定台９の上部に設けた平板８に設けた円筒８Ｂに取り付けられる。平板８は、固定台９の上部に固定される。
上記の様に、平板８上に設けられた金属導電体支持台６、６Ａの電気的絶縁材６Ｄの上部に設けられた金属導電体５、５Ａの一端部に接続用可とう導体４、４Ａの端子部を接続し、金属導電体５、５Ａの他の端子部に、電源部１０からの任意数のケーブル７、７Ａを接続し、接続用可とう導体４、４Ａの他の端子をそれぞれの電極２、２Ａに設けた電極接続用導体３、３Ａの端子３Ｂに接続する事で、電源部１０と、各電極２、２Ａ間に電力を供給する事が出来る。
次に、電気溶融炉１の内部空間１Ａに設けた各電極２、２Ａは、それぞれ単相２線式の接続回路になっており、これら対向している電極２、２Ａを、電気溶融炉１の内部の発生温度又は電極２、２Ａ間の電流値の加減により、電極２、２Ａを左右に、水平移動させるための２台のアクチュエーター１２を作動させて、電気溶融炉１の内部空間１Ａ内を左右に移動させる。
この時、電極２、２Ａの水平移動に従って、電極２、２Ａの電極接続用導体３，３Ａに接続された接続用可とう導体４，４Ａと金属導電体５，５Ａをのせた金属導電体支持台６、６Ａが一緒に左右に水平移動される。
この場合２組の金属導電体支持台６、６Ａの底に設けた円柱６Ｃが水平板８の上面に固定した２組の円筒部８Ｂに挿入されているので、この円柱６Ｃと円筒８Ｂとが基点となって左右に開いたり閉じたりする事になり、この開閉は、２組の電極２、２Ａの開閉に従って行われる。この場合、２組の金属導電体支持台６、６Ａの先端底部に設けてある回転式車輪６Ｂで水平板８の上面を回転して、２組の金属導電体支持台６、６Ａの水平に開閉を助ける事になる。
２組の電極２、２Ａを水平移動する時は左右に設けた２組のアクチュエーター１２を作動させ、電極２、２Ａに固定してある２組のアクチュエーター１２の可動軸１２Ａを縮延長させて２組の電極２、２Ａを左右に開閉させる。
又、電極２、２Ａに固定してある電極支持部１１に固定してある４組の張り出し部１１Ａが２本のレール１３上を移動していく事により、電極２、２Ａが水平に移動される。水平板８の両端にある８Ａは、金属導電体支持台６，６Ａのストッパーである。
２組のレール１３は４組の支持台１３Ａに支持されている。
以上の構成により電極２、２Ａに供給される電力は、より増大させる事と、電極の移動と重い金属導電体５、５Ａを容易に水平移動させる事が出来る。
【産業上の利用可能性】  以上の様に、本発明による電気溶融炉用電極移動に伴なう金属導電体の移動方式は従来の電極固定式と電力供給方法と異なり、複数の電極を水平移動させられる事により自由に電極間の電流を加減出来ると共に、重量のある供給導電体を容易に水平移動させられる利点と、従来より、より大きな電流を電極間に供給出来る利点がある。
【図１】
2005045341.tif 000002
【図２】
2005045341.tif 000003
【図３】
2005045341.tif 000004
【図４】
2005045341.tif 000005
【図５】
2005045341.tif 000006
【図６】
2005045341.tif 000007
【図７】
2005045341.tif 000008
【国際調査報告】
2005045341.tif 000009
2005045341.tif 000010
2005045341.tif 000011